(57)【特許請求の範囲】
【請求項１】
加熱された場合に加熱膨張材を膨張させることにより、互いに対向する枠の見込み面と框の見込み面との間の隙間を塞ぐようにした建具において、
前記枠及び前記框の少なくとも一方は、前記枠の見込み面と前記框の見込み面との間の隙間を覆うように見付け方向に沿って延在するカバーヒレ部を備え、
前記框の見込み面には、前記見込み面に露出するように取り付けられた部品を除く部分にのみ加熱膨張材が配設され、
前記框の見込み面に露出するように部品が取り付けられた部分には、
前記框の見込み面に露出するように部品が取り付けられた部分と、前記枠の見込み面において部品が取り付けられた部分とが対向する箇所には、前記カバーヒレ部において前記枠の見込み面と前記框の見込み面との間の隙間に対向する面に加熱膨張材が配設され、かつ前記框の見込み面に露出するように部品が取り付けられた部分と、前記枠の見込み面において部品が取り付けられた部分とが非対向となる箇所には、前記枠の見込み面に加熱膨張材が配設されている
ことを特徴とする建具。
【請求項２】
前記枠の見込み面には、端部が前記框の見込み面に配設した加熱膨張材にオーバーラップするように加熱膨張材を配設したことを特徴とする請求項１に記載の建具。
【発明の詳細な説明】
【技術分野】
【０００１】
本発明は、開口枠に対して障子や扉体等の面材を開閉可能に支持した建具に関するもので、特に、開口枠と面材との間に防火対策を施した建具に関する。
【背景技術】
【０００２】
昨今の建具には、火災が発生した場合の延焼を防止するための防火対策を施したものがある。例えば、障子において枠に対向する見込み面に加熱膨張材を配設した建具によれば、火災発生時に加熱された場合に加熱膨張材が膨張することで互いに対向する枠の見込み面と框の見込み面との間の隙間が塞がれることになり、火炎を遮断して延焼を防止することができる（例えば、特許文献１参照）。
【０００３】
加熱膨張材としては、シート状のものを適用しているのが一般的であり、両面テープや接着剤を用いて框の全周にわたって一連となるように配設するようにしている。
【先行技術文献】
【特許文献】
【０００４】
【特許文献１】特開２０１２−１２２３１０号公報
【発明の概要】
【発明が解決しようとする課題】
【０００５】
ところで、一対の縦框の上下両端部間に横框を組み立てて構成した障子には、縦框の端部開口やエッジを覆い隠すためにキャップ部材が取り付けてある。また、戸先に位置する縦框には、戸先面に設けた開口から縦框の内部にラッチ装置や施錠装置が配設され、さらには吊元に位置する縦框には、枠に支持させるためのヒンジ装置が配設されている。
【０００６】
ここで、障子の框には、耐食性や耐摩耗性を向上させるため、アルマイト処理が施されている。アルマイト処理された框の表面は、加熱膨張材との接着性が良好であり、脱落することなく加熱膨張材を配設することが可能である。しかしながら、框の見込み面に露出するキャップ部材は、樹脂材によって成形されたものであり、加熱膨張材との接着性については必ずしも良好とはいえない。ラッチ装置や施錠装置において框の見込み面に露出する部品の表面についても加熱膨張材との接着性は考慮されておらず、良好であるといえないばかりか、框の見込み面との間が段差となるため、加熱膨張材の接着面との間に隙間が生じる契機ともなり得る。仮に、キャップ部材やラッチ装置、施錠装置等々、部品が取り付けられた部分の加熱膨張材が脱落した場合には、加熱によって膨張した場合にも枠の見込み面と框の見込み面との間の隙間を塞ぐことができないおそれがあり、建具の防火性能に大きな影響を及ぼすことになる。
【０００７】
本発明は、上記実情に鑑みて、防火性能に高い信頼性を確保することのできる建具を提供することを目的とする。
【課題を解決するための手段】
【０００８】
上記目的を達成するため、本発明に係る建具は、加熱された場合に加熱膨張材を膨張させることにより、互いに対向する枠の見込み面と框の見込み面との間の隙間を塞ぐようにした建具において、前記枠及び前記框の少なくとも一方は、前記枠の見込み面と前記框の見込み面との間の隙間を覆うように見付け方向に沿って延在するカバーヒレ部を備え、前記框の見込み面には、前記見込み面に露出するように取り付けられた部品を除く部分にのみ加熱膨張材が配設され、前記框の見込み面に露出するように部品が取り付けられた部分には、前記框の見込み面に露出するように部品が取り付けられた部分と、前記枠の見込み面において部品が取り付けられた部分とが対向する箇所には、前記カバーヒレ部において前記枠の見込み面と前記框の見込み面との間の隙間に対向する面に加熱膨張材が配設され、かつ前記框の見込み面に露出するように部品が取り付けられた部分と、前記枠の見込み面において部品が取り付けられた部分とが非対向となる箇所には、前記枠の見込み面に加熱膨張材が配設されていることを特徴とする。
【０００９】
この発明によれば、框の見込み面に露出するように部品が取り付けられた部分については、対向する枠の見込み面に配設した加熱膨張材が膨張することによって枠の見込み面と框の見込み面との間の隙間が塞がれることになる。従って、框の見込み面にキャップ部材やラッチ装置、施錠装置等々の部品が露出している場合にも、対向する枠の見込み面に対して加熱膨張材を確実に配設することができ、防火性能に高い信頼性を確保することができる。
【００１１】
この発明によれば、カバーヒレ部に加熱膨張材を配設することで、框の見込み面に露出するように部品が取り付けられた部分と、枠の見込み面において部品が取り付けられた部分とが対向する箇所においても、互いの間の隙間を加熱膨張材によって塞ぐことが可能となる。
【００１２】
また本発明は、上述した建具において、前記枠の見込み面には、端部が前記框の見込み面に配設した加熱膨張材にオーバーラップするように加熱膨張材を配設したことを特徴とする請求項１に記載の建具。
【００１３】
この発明によれば、枠に設けた加熱膨張材と框に設けた膨張材とが重なるように膨張するため、火炎の貫通口が生じる事態を、より確実に防止することができる。
【発明の効果】
【００１４】
本発明によれば、框の見込み面に露出するように部品が取り付けられた部分については、対向する枠の見込み面に配設した加熱膨張材が膨張することによって枠の見込み面と框の見込み面との間の隙間が塞がれることになる。従って、框の見込み面にキャップ部材やラッチ装置、施錠装置等々の部品が露出している場合にも、対向する枠の見込み面に対して加熱膨張材を確実に配設することができ、防火性能に高い信頼性を確保することができる。
【図面の簡単な説明】
【００１５】
【図１】図１は、本発明の実施の形態である建具を室内側から模式的に示した正面図である。
【図２】図２は、図１に示した建具において障子が開いた状態を室外の吊元側斜め下方から見た斜視図である。
【図３】図３は、図１に示した建具において障子が開いた状態を室外の戸先側斜め上方から見た斜視図である。
【図４】図４は、図１に示した建具の戸先部分を拡大して示す横断面図である。
【図５】図５は、図１に示した建具の吊元部分を拡大して示す斜視図である。
【発明を実施するための形態】
【００１６】
以下、添付図面を参照しながら本発明に係る建具の好適な実施の形態について詳細に説明する。
【００１７】
図１は、本発明の実施の形態である建具を示したものである。ここで例示する建具は、テラスの出入口に設けられる開き戸であり、開口枠１０及び扉体２０を備えている。開口枠１０は、上枠１１、下枠１２及び左右の縦枠１３，１４を四周枠組みすることによって構成したものである。開口枠１０を構成するそれぞれの枠１１，１２，１３，１４は、アルミニウムやアルミニウム合金等の金属によって成形した押し出し形材であり、それぞれが全長に渡ってほぼ一様な断面形状を有するように構成してある。扉体２０は、上框２１、下框２２及び左右の縦框２３，２４を四周框組することによって構成した框体２５と、框体２５に支持させた複層ガラス３０とを備えて構成したものである。框体２５を構成するそれぞれの框２１，２２，２３，２４は、アルミニウムやアルミニウム合金等の金属によって成形した押し出し形材であり、それぞれが全長に渡ってほぼ一様な断面形状を有するように構成してある。
【００１８】
本実施の形態で適用する框２１，２２，２３，２４は、四周で同様の構成を有したものである。具体的には、図４に代表して示すように、角筒状を成す框基部２３ａと、框基部２３ａにおいて内周側に位置する見込み面の両側縁部からそれぞれ内方に向けて突出した一対の収容ヒレ部２３ｂとを有して構成してある。一対の収容ヒレ部２３ｂは、互いにほぼ平行となるように配設したもので、相互間に複層ガラス３０の縁部分を収容するためのガラス収容溝２３ｃを構成している。
【００１９】
図２及び図４に示すように、戸先に位置する縦框２３にだけは、拝と称されるカバーヒレ部２３ｄが設けてある。カバーヒレ部２３ｄは、開口枠１０に対して扉体２０を閉じた場合に、縦枠１３の見込み面と縦框２３の見込み面との間の隙間を室外側から覆うためのもので、縦框２３の長手方向に沿った全長にわたって配設してある。本実施の形態のカバーヒレ部２３ｄは、開口枠１０に対して扉体２０を閉じた状態において、框基部２３ａにおいて外周側に位置する見込み面の室外側に位置する縁部から見付け方向に沿ってわずかに突出した後、室外側に向けてほぼ直角に屈曲し、さらに框基部２３ａから離隔する方向に向けてほぼ直角に屈曲するように構成してある。
【００２０】
尚、図には明示していないが、開口枠１０を構成する枠１１，１２，１３，１４及び框体２５を構成する框２１，２２，２３，２４には、耐食性及び耐摩耗性を向上させるため、それぞれの表面にアルマイト処理が施してある。
【００２１】
図１に示すように、左右の縦框２３，２４には、それぞれの上端部及び下端部にキャップ部材４０が装着してある。キャップ部材４０は、樹脂材によって成形したもので、縦框２３，２４の端部開口及び端部エッジを覆い隠した状態でそれぞれの縦框２３，２４に装着してある。図２及び図３に示すように、戸先側の縦框２３に装着した上下のキャップ部材４０は、それぞれの一部が縦框２３の戸先側に位置する見込み面にも露出し、また図５に示すように、吊元側の縦框２４に装着した上下のキャップ部材４０は、それぞれの一部が縦框２４の吊元側に位置する見込み面にも露出した状態にある。
【００２２】
図１及び図５に示すように、扉体２０の吊元側に位置する縦框２４には、開口枠１０の縦枠１４との間の複数箇所（実施の形態では３箇所）にヒンジ装置５０が設けてある。ヒンジ装置５０は、いわゆる旗蝶番と称されるもので、ヒンジ軸５１の両端部にそれぞれ羽根板５２，５３を備えて構成してある。羽根板５２，５３は、金属によって成形された矩形の平板状を成すもので、ヒンジ軸５１の軸心を中心として相対的に回転することが可能である。本実施の形態では、ヒンジ軸５１の軸心が縦枠１４の長手方向に沿った状態で上方の羽根板５２が縦框２４の見込み面に取り付けてあるとともに、下方の羽根板５３が縦枠１４の見込み面に取り付けてある。ヒンジ装置５０によって開口枠１０の縦枠１４に支持した扉体２０は、ヒンジ軸５１に対して上方羽根板５２及び下方羽根板５３を相対的に回転させることで、開口枠１０を閉じた状態と、室外側に押し開いた状態とに移動することが可能である。
【００２３】
扉体２０の戸先側に位置する縦框２３には、ラッチ装置６０及び錠装置７０が設けてある。ラッチ装置６０及び錠装置７０は、戸先面に設けたそれぞれの開口（図示せず）から縦框２３の内部に配設したもので、装置本体６１，７１の外装プレート部６２，７２がそれぞれ縦框２３の見込み面に露出した状態で縦框２３に取り付けてある。装置本体６１，７１の外装プレート部６２，７２は、いずれも金属によって成形されたものである。ラッチ装置６０の外装プレート部６２には、係合突起６３が設けてあり、錠装置７０の外装プレート部７２には、施錠突起７３が設けてある。
【００２４】
ラッチ装置６０の係合突起６３は、外装プレート部６２から常時突出するように付勢されたもので、直接外力を加えることにより、あるいは縦框２３に設けた操作ハンドル６４の操作により、外装プレート部６２と面一となるまで没入させることが可能である。操作ハンドル６４は、室内側の見込み面及び室外側の見込み面のそれぞれから突出するように設けてある。係合突起６３に加えていた外力を除去した場合、あるいは操作ハンドル６４の操作力を除去した場合、ラッチ装置６０の係合突起６３は、再び外装プレート部６２から突出した状態に復帰する。図４に示すように、ラッチ装置６０の係合突起６３には、ガイド面６３ａが設けてある。ガイド面６３ａは、係合突起６３の突出端部に向けて漸次室外側に傾斜したものである。
【００２５】
錠装置７０の施錠突起７３は、縦框２３に設けた操作ツマミ７４の操作により、外装プレート部７２から突出した状態と没入した状態とに移動するものである。操作ツマミ７４は、室内側の見込み面にのみ設けてある。
【００２６】
一方、開口枠１０の戸先側に位置する縦枠１３には、図１及び図２に示すように、ラッチ装置６０の外装プレート部６２に対向する部位にラッチ受部材６５が設けてあり、錠装置７０の外装プレート部７２に対向する部位に錠受部材７５が設けてある。ラッチ受部材６５及び錠受部材７５は、中央部分に矩形状の受け孔６５ａ，７５ａを有したプレートを成すもので、縦枠１３の見込み面に設けた開口（図示せず）を覆う状態で縦枠１３に取り付けてある。ラッチ受部材６５の受け孔６５ａは、扉体２０を閉じた場合にラッチ装置６０の係合突起６３が挿入可能となる位置に設けてあり、錠受部材７５の受け孔７５ａは、扉体２０を閉じた場合に錠装置７０の施錠突起７３が挿入可能となる位置に設けてある。
【００２７】
上述のラッチ装置６０及び錠装置７０を備えた建具では、錠装置７０の施錠突起７３を没入させた状態で開口枠１０に対して扉体２０を閉じれば、ガイド面６３ａを介して係合突起６３がラッチ受部材６５の端面に当接し、ガイド面６３ａの傾斜作用によって係合突起６３が没入方向に移動する。従って、そのまま開口枠１０に対して扉体２０を閉じることが可能である。開口枠１０に対して扉体２０が閉じた状態に配置されると、係合突起６３がラッチ受部材６５の受け孔６５ａにおいて突出した状態に復帰するため、扉体２０が閉じた状態に維持される。
【００２８】
この状態から操作ハンドル６４を操作すれば、係合突起６３を没入方向に移動させることができ、係合突起６３がラッチ受部材６５の受け孔６５ａから逸脱した時点で扉体２０を開くことが可能になる。一方、扉体２０が閉じた状態において操作ツマミ７４の操作により施錠突起７３を突出した状態に移行させると、施錠突起７３が錠受部材７５の受け孔７５ａに挿入された施錠状態となり、操作ハンドル６４の操作によって係合突起６３を没入方向に移動させた場合にも扉体２０を開くことができない。
【００２９】
さらに、本実施の形態の建具には、框体２５の外周側に位置する見込み面と、開口枠１０の見込み面との間には、加熱膨張材８０が配設してある。加熱膨張材８０は、膨張黒鉛等のように、加熱した場合に発泡することによって膨張する不燃性を有したシート状を成すもので、框体２５の見込み面、もしくは開口枠１０の見込み面に配設してある。参考までに記載すれば、本実施の形態で適用する加熱膨張材８０は、１．６ｍｍの板厚を有し、加熱された場合に約３０倍に膨張するものであるが、これに限定されるものではない。
【００３０】
ここで、加熱膨張材８０を配設する箇所としては、基本的には框体２５の見込み面であり、全周にわたって一連となるように両面テープや接着剤によって接着することが好ましい。しかしながら、上述したように、框体２５の見込み面には、キャップ部材４０、ヒンジ装置５０の上方羽根板５２、ラッチ装置６０の外装プレート部６２、錠装置７０の外装プレート部７２が取り付けられている。このうち、キャップ部材４０については、樹脂材によって成形されたものであり、両面テープや接着剤との接着性が良好とはいえない。また、ヒンジ装置５０の上方羽根板５２、ラッチ装置６０の外装プレート部６２、錠装置７０の外装プレート部７２については、いずれも金属によって成形されたものであるが、それぞれの板厚が約３ｍｍ程度であり、框体２５の見込み面との間に大きな段差を生じさせるものであるため、加熱膨張材８０の接着面との間に隙間が生じる契機となり得る。つまり、框体２５の見込み面に対して全周に加熱膨張材８０を配設した場合には、キャップ部材４０に接着した部分やヒンジ装置５０の上方羽根板５２、ラッチ装置６０の外装プレート部６２、錠装置７０の外装プレート部７２に接着した部分から剥がれる事態を招来するおそれがある。
【００３１】
そこで、本実施の形態の建具では、図１に示すように、框体２５の見込み面においてキャップ部材４０、ヒンジ装置５０の上方羽根板５２が取り付けられた部分には、それぞれに対向する開口枠１０の見込み面に加熱膨張材８０を配設するようにしている。開口枠１０の見込み面においてラッチ装置６０の外装プレート部６２及び錠装置７０の外装プレート部７２に対向する部位には、ラッチ受部材６５及び錠受部材７５が設けられているため、図４に示すように、縦框２３のカバーヒレ部２３ｄにおいて開口枠１０の見込み面と框体２５の見込み面との間の隙間に対向する面の全長に加熱膨張材８０を配設するようにしている。図１からも明らかなように、開口枠１０の見込み面に配設する加熱膨張材８０は、それぞれの端部が框体２５の見込み面に配設した加熱膨張材８０にオーバーラップするようにしてある。
【００３２】
上記のように構成した建具によれば、框体２５及び開口枠１０において接着性が良好な部位にのみ加熱膨張材８０を配設するようにしているため、加熱膨張材８０が剥がれて脱落する事態を招来するおそれがない。しかも、框体２５の見込み面に配設した加熱膨張材８０と開口枠１０の見込み面に配設した加熱膨張材８０及びカバーヒレ部２３ｄに配設した加熱膨張材８０とが框体２５の周方向に沿っては一連となる。従って、火災が発生する等して高温状態に加熱された場合には、それぞれの加熱膨張材８０が膨張することによって開口枠１０の見込み面と框体２５の見込み面との間が隙間なく塞がれることになり、信頼性の高い防火性能を提供することが可能となる。
【００３３】
尚、上述した実施の形態では、開口枠１０及び扉体２０を備えた開き戸を例示しているが、開口枠に対して障子をスライド可能に配設した建具にも適用することが可能である。扉体を備えた建具の場合に上述した実施の形態では、複層ガラス３０を備えたものを例示しているが、必ずしもガラスを備えている必要はない。
【００３４】
また、上述した実施の形態では、框の見込み面に露出するように取り付けられた部品として、キャップ部材４０、ヒンジ装置５０の上方羽根板５２、ラッチ装置６０の外装プレート部６２、錠装置７０の外装プレート部７２を例示しているが、その他の部品であっても良いし、必ずしも複数である必要はない。尚、框の見込み面に存在するネジ孔やこれに装着されたグロメットについても加熱膨張材を配設することができない。しかしながら、実施の形態のように３０倍程度に膨張する加熱膨張材を適用する場合、加熱膨張材の幅程度に途切れたとしても加熱膨張時に火炎の貫通口になるおそれはない。従って、これらネジ孔やグロメット部分に対向する枠の見込み面には加熱膨張材を設けなくても良い。
【００３５】
さらに、上述した実施の形態では、カバーヒレ部２３ｄにも加熱膨張材８０を配設するようにしているが、必ずしもカバーヒレ部に加熱膨張材を設ける必要はない。尚、加熱膨張材を設けるカバーヒレ部は必ずしも框に設けられたものである必要はなく、枠に設けたカバーヒレ部に加熱膨張材を配設しても構わない。
【符号の説明】
【００３６】
１０  開口枠、１１，１２，１３，１４  枠、２０  扉体、２１，２２，２３，２４  框、２３ｄ  カバーヒレ部、２５  框体、４０  キャップ部材、５０  ヒンジ装置、５２，５３  羽根板、６０  ラッチ装置、６２  外装プレート部、６５  ラッチ受部材、７０  錠装置、７２  外装プレート部、７５  錠受部材、８０  加熱膨張材
【図１】
0006466672.tif 000002
【図２】
0006466672.tif 000003
【図３】
0006466672.tif 000004
【図４】
0006466672.tif 000005
【図５】
0006466672.tif 000006